(57)【要約】【課題】  携帯電話などの付加機能として、複数放送波を受信する機能を付加した無線機において、携帯電話用のアンテナとＦＭ放送やＴＶ放送用のアンテナを共用した場合に、ＦＭ放送やＴＶ放送の広い帯域を効率良くカバーし、かつ、それぞれの無線回路への相互的な影響を低減することのできる複数放送波を受信可能な携帯電話機を実現する。【解決手段】  アンテナと、前記アンテナと接続する線路を分岐し、一方をスイッチに接続し、他方を携帯電話機無線部に接続する無線部切換えスイッチと、スイッチと並列に接続する複数の放送波に対応して複数設けられたインピーダンス調整回路とを有し、スイッチは現在受信が行なわれている放送波に対応して設けられたインピーダンス調整回路を選択する。【選択図】  図１
2005159827.tif 000002
【特許請求の範囲】
【請求項１】
携帯電話機の使用帯域の電波の送受信と、複数の放送波を受信可能なアンテナと、
第１のスイッチと、
前記アンテナを使用して携帯電話動作を行う携帯電話機無線部と、
前記アンテナと接続する線路を分岐し、一方を前記第１のスイッチに接続し、他方を携帯電話機無線部に接続する無線部切換えスイッチと、
第２のスイッチと、
前記第１のスイッチと第２のスイッチの間に並列に設けられ、前記複数の放送波に対応して複数設けられたインピーダンス調整回路と、
現在受信が行なわれている放送波を示す識別信号を前記第１のスイッチと第２のスイッチへ出力するＴＶ／ＦＭ制御部と、
前記第２のスイッチから出力される放送波を復調するＴＶ／ＦＭ受信部と、を有し、
前記第１のスイッチと第２のスイッチは前記識別信号が示す、現在受信が行なわれている放送波に対応して設けられたインピーダンス調整回路を選択することを特徴とする複数放送波を受信可能な携帯電話機。
【請求項２】
携帯電話機の使用帯域の電波の送受信と、複数の放送波を受信可能なアンテナと、
第１のスイッチと、
前記アンテナを使用して携帯電話動作を行う携帯電話機無線部と、
前記アンテナと接続し、受信された電波および放送波について携帯電話機の使用帯域の電波と複数の放送波とに分離し、携帯電話機の使用帯域の電波は前記携帯電話機無線部に供給し、複数の放送波は前記第１のスイッチに供給する周波数分配器と、
第２のスイッチと、
前記第１のスイッチと第２のスイッチの間に並列に設けられ、前記複数の放送波に対応して複数設けられたインピーダンス調整回路と、
現在受信が行なわれている放送波を示す識別信号を前記第１のスイッチと第２のスイッチへ出力するＴＶ／ＦＭ制御部と、
前記第２のスイッチから出力される放送波を復調するＴＶ／ＦＭ受信部と、を有し、
前記第１のスイッチと第２のスイッチは前記識別信号が示す、現在受信が行なわれている放送波に対応して設けられたインピーダンス調整回路を選択することを特徴とする複数放送波を受信可能な携帯電話機。
【請求項３】
携帯電話機の使用帯域の電波の送受信と、複数の放送波を受信可能なアンテナと、
スイッチと、
前記アンテナを使用して携帯電話動作を行う携帯電話機無線部と、
前記アンテナにより受信された放送波を復調するＴＶ／ＦＭ受信部と、
前記アンテナと接続する線路を分岐し、一方を前記スイッチおよびＴＶ／ＦＭ受信部に接続し、他方を携帯電話機無線部に接続する無線部切換えスイッチと、
前記第１のスイッチと接地との間に並列に設けられ、前記複数の放送波に対応して複数設けられたインピーダンス調整回路と、
現在受信が行なわれている放送波を示す識別信号を前記スイッチへ出力するＴＶ／ＦＭ制御部と、を有し、
前記スイッチは前記識別信号が示す、現在受信が行なわれている放送波に対応して設けられたインピーダンス調整回路を選択することを特徴とする複数放送波を受信可能な携帯電話機。
【請求項４】
携帯電話機の使用帯域の電波の送受信と、複数の放送波を受信可能なアンテナと、
スイッチと、
前記アンテナを使用して携帯電話動作を行う携帯電話機無線部と、
前記アンテナにより受信された放送波を復調するＴＶ／ＦＭ受信部と、
前記アンテナと接続し、受信された電波および放送波について携帯電話機の使用帯域の電波と複数の放送波とに分離し、携帯電話機の使用帯域の電波は前記携帯電話機無線部に供給し、複数の放送波は前記スイッチおよびＴＶ／ＦＭ受信部に供給する周波数分配器と、
前記第１のスイッチと接地との間に並列に設けられ、前記複数の放送波に対応して複数設けられたインピーダンス調整回路と、
現在受信が行なわれている放送波を示す識別信号を前記スイッチへ出力するＴＶ／ＦＭ制御部と、を有し、
前記スイッチは前記識別信号が示す、現在受信が行なわれている放送波に対応して設けられたインピーダンス調整回路を選択することを特徴とする複数放送波を受信可能な携帯電話機。
【発明の詳細な説明】
【技術分野】
【０００１】
本発明は、携帯電話機に関し、特に、ＵＨＦ帯およびＶＨＦ帯を含むＴＶ放送波とＦＭ放送波などのと複数放送波を受信可能な携帯電話機に関する。
【背景技術】
【０００２】
現在、市販されている無線機および受信機において、ＦＭ放送やＴＶのＶＨＦ帯域の周波数と、ＴＶのＵＨＦ帯域の周波数に対応する場合、特に、ＴＶのＶＨＦ帯域の波長がかなり長いことから、ロッドアンテナ、ヘリカルアンテナ等が用いられる事が多い。１つのアンテナによる受信電波を、利用する状況に応じて調整する従来技術として以下のものが挙げられる。
【０００３】
特許文献１（特開２０００−１５６６５１号公報）には、ＴＤＭＡ方式の無線部とＣＤＭＡ方式の無線部が１つのアンテナを共用し、スイッチングによりアンテナを使用する無線部を切り換える構成が開示されている。
【０００４】
特許文献２（特開２００１−０７７７１９号公報）には、人体の接近や接触に起因するインピーダンス値の変化に対応させるために、複数のインピーダンス調整回路を設け、音声信号の有無により使用するインピーダンス調整回路を切り換える構成が開示されている。
【０００５】
特許文献３（特開平０３−１９２９０２号公報）には、１つのアンテナを自動車無線電話機、ＡＭ／ＦＭ受信機とで共用し、アンテナとＡＭ／ＦＭ受信機との間にＡＭ放送用のインピーダンス変換回路とＦＭ放送用の整合回路を設けた構成が開示されている。
【特許文献１】特開２０００−１５６６５１号公報
【特許文献２】特開２００１−０７７７１９号公報
【特許文献３】特開平０３−１９２９０２号公報
【発明の開示】
【発明が解決しようとする課題】
【０００６】
ＦＭ放送やＴＶのＶＨＦ帯域とＵＨＦ帯域はかなり広く、小型無線機に取付けられているアンテナでは、それぞれのアンテナ特性を同時に満たすことは困難であるという問題点がある。
【０００７】
また、携帯電話などの付加機能として、ＦＭ放送やＴＶ放送を受信する機能を付加した場合、実装による制限などにより、携帯電話用のアンテナとＦＭ放送やＴＶ放送用のアンテナを共用することも考えられ、それぞれの無線回路への相互的な影響が懸念される。
【０００８】
上述した従来技術のうち、特許文献１に開示されるものは、単純に受信回路の切換えを行なうものであり、上記の問題点を解決するものとはいえない。
【０００９】
特許文献２に開示されるものは、人体の接近や接触に応じてインピーダンス調整回路を切り換えるものであるが、特許文献１のものと同様に上記の問題点を解決するものとはいえない。
【００１０】
特許文献３に記載のものでは、アンテナとＡＭ／ＦＭ受信機との間にＡＭ放送用のインピーダンス変換回路とＦＭ放送用の整合回路を設けたものであるが、ＦＭ放送やＴＶのＶＨＦ帯域とＵＨＦ帯域などの広い帯域に適用しようとすると、インピーダンス変換回路や整合回路を実現するネットワークの構成が複雑となり、実現が困難であるという問題点がある。
【００１１】
本発明は、携帯電話などの付加機能として、ＦＭ放送やＴＶ放送を受信する機能を付加した無線機において、携帯電話用のアンテナとＦＭ放送やＴＶ放送用のアンテナを共用した場合に、ＦＭ放送やＴＶ放送の広い帯域を効率良くカバーし、かつ、それぞれの無線回路への相互的な影響を低減することのできる複数放送波を受信可能な携帯電話機を実現することを目的とする。
【課題を解決するための手段】
【００１２】
本発明の複数放送波を受信可能な携帯電話機は、携帯電話機の使用帯域の電波の送受信と、複数の放送波を受信可能なアンテナと、
第１のスイッチと、
前記アンテナを使用して携帯電話動作を行う携帯電話機無線部と、
前記アンテナと接続する線路を分岐し、一方を前記第１のスイッチに接続し、他方を携帯電話機無線部に接続する無線部切換えスイッチと、
第２のスイッチと、
前記第１のスイッチと第２のスイッチの間に並列に設けられ、前記複数の放送波に対応して複数設けられたインピーダンス調整回路と、
現在受信が行なわれている放送波を示す識別信号を前記第１のスイッチと第２のスイッチへ出力するＴＶ／ＦＭ制御部と、
前記第２のスイッチから出力される放送波を復調するＴＶ／ＦＭ受信部と、を有し、
前記第１のスイッチと第２のスイッチは前記識別信号が示す、現在受信が行なわれている放送波に対応して設けられたインピーダンス調整回路を選択することを特徴とする。
【００１３】
本発明の他の形態による複数放送波を受信可能な携帯電話機は、携帯電話機の使用帯域の電波の送受信と、複数の放送波を受信可能なアンテナと、
第１のスイッチと、
前記アンテナを使用して携帯電話動作を行う携帯電話機無線部と、
前記アンテナと接続し、受信された電波および放送波について携帯電話機の使用帯域の電波と複数の放送波とに分離し、携帯電話機の使用帯域の電波は前記携帯電話機無線部に供給し、複数の放送波は前記第１のスイッチに供給する周波数分配器と、
第２のスイッチと、
前記第１のスイッチと第２のスイッチの間に並列に設けられ、前記複数の放送波に対応して複数設けられたインピーダンス調整回路と、
現在受信が行なわれている放送波を示す識別信号を前記第１のスイッチと第２のスイッチへ出力するＴＶ／ＦＭ制御部と、
前記第２のスイッチから出力される放送波を復調するＴＶ／ＦＭ受信部と、を有し、
前記第１のスイッチと第２のスイッチは前記識別信号が示す、現在受信が行なわれている放送波に対応して設けられたインピーダンス調整回路を選択することを特徴とする。
【００１４】
本発明のさらに他の形態による複数放送波を受信可能な携帯電話機は、携帯電話機の使用帯域の電波の送受信と、複数の放送波を受信可能なアンテナと、
スイッチと、
前記アンテナを使用して携帯電話動作を行う携帯電話機無線部と、
前記アンテナにより受信された放送波を復調するＴＶ／ＦＭ受信部と、
前記アンテナと接続する線路を分岐し、一方を前記スイッチおよびＴＶ／ＦＭ受信部に接続し、他方を携帯電話機無線部に接続する無線部切換えスイッチと、
前記第１のスイッチと接地との間に並列に設けられ、前記複数の放送波に対応して複数設けられたインピーダンス調整回路と、
現在受信が行なわれている放送波を示す識別信号を前記スイッチへ出力するＴＶ／ＦＭ制御部と、を有し、
前記スイッチは前記識別信号が示す、現在受信が行なわれている放送波に対応して設けられたインピーダンス調整回路を選択することを特徴とする。
【００１５】
本発明のさらに他の形態による複数放送波を受信可能な携帯電話機は、携帯電話機の使用帯域の電波の送受信と、複数の放送波を受信可能なアンテナと、
スイッチと、
前記アンテナを使用して携帯電話動作を行う携帯電話機無線部と、
前記アンテナにより受信された放送波を復調するＴＶ／ＦＭ受信部と、
前記アンテナと接続し、受信された電波および放送波について携帯電話機の使用帯域の電波と複数の放送波とに分離し、携帯電話機の使用帯域の電波は前記携帯電話機無線部に供給し、複数の放送波は前記スイッチおよびＴＶ／ＦＭ受信部に供給する周波数分配器と、
前記第１のスイッチと接地との間に並列に設けられ、前記複数の放送波に対応して複数設けられたインピーダンス調整回路と、
現在受信が行なわれている放送波を示す識別信号を前記スイッチへ出力するＴＶ／ＦＭ制御部と、を有し、
前記スイッチは前記識別信号が示す、現在受信が行なわれている放送波に対応して設けられたインピーダンス調整回路を選択することを特徴とする。
【発明の効果】
【００１６】
本発明においては、アンテナにて受信された電波のうち、携帯電話機の使用帯域の電波は携帯電話機無線部で使用され、複数の放送波はスイッチ側で使用される。該スイッチ側には、ＵＨＦ帯域と、ＶＨＦ−Ｈｃｈ帯域と、ＶＨＦ−Ｌｃｈ帯域と、ＦＭ帯域それぞれの周波数に最適化できるようなインピーダンス調整回路が並列に設けられており、現在受信されている放送波に対応するインピーダンス調整回路が選択されるので、携帯電話のアンテナ特性が変わることなく、良好な受信を行なうことができるものとなっている。
【発明を実施するための最良の形態】
【００１７】
次に、本発明の実施形態について図面を参照して説明する。
【００１８】
図１は本発明の第１実施形態の携帯電話機１００の構成を示すブロック図である。
【００１９】
携帯電話機１００は、ＦＭ放送およびＴＶ放送の受信機能を備えるものである。携帯電話機１００には、アンテナ１０１が設けられ、その筐体の内部には、帯域切替スイッチ１０２、無線部切換えスイッチ１０３、携帯電話機無線部１０４、ＴＶ／ＦＭ制御部１０５、帯域切替スイッチ１０６、ＵＨＦインピーダンス調整回路１０７、ＶＨＦ−Ｈｃｈインピーダンス調整回路１０８、ＶＨＦ−Ｌｃｈインピーダンス調整回路１０９、ＦＭインピーダンス調整回路１１０およびＴＶ／ＦＭ受信部１１１が設けられている。
【００２０】
携帯電話機１００には上記の各構成要素の他に、ＴＶ画像や携帯電話に関する情報を表示する表示装置や、音声を出力するスピーカ、動作を選択するための入力手段、携帯電話機能を実現するための手段などが設けられるが、これらは公知の技術で実現可能な一般的な構成であるために、図示および説明は省略する。本実施形態は、上記の入力手段への入力に応じて、携帯電話、または、ＦＭ放送およびＴＶ放送の受信機として動作する。ＴＶ／ＦＭ制御部１０５は、現在の装置動作を確認可能に構成されており、現在の装置動作に応じた制御動作を行う。
【００２１】
アンテナ１０１は、ＦＭ放送、ＴＶのＶＨＦ帯域、ＵＨＦ帯域の受信および携帯電話機の使用帯域の電波の送受信を行なうためのアンテナである。無線部切換えスイッチ１０３は、アンテナ１０１と接続し、アンテナ１０１の線路を分岐して、一方を携帯電話機無線部１０４に接続し、他方を帯域切替スイッチ１０２に接続する。携帯電話機無線部１０４は、携帯電話機１００が携帯電話機として機能する際にアンテナ１０１を介して送受信を行なう。
【００２２】
帯域切替スイッチ１０２，１０６はＴＶ放送またはＦＭ放送の受信の際、受信波に応じたインピーダンス調整を行なうために設けられたもので、帯域切替スイッチ１０２，１０６の間には、ＵＨＦインピーダンス調整回路１０７、ＶＨＦ−Ｈｃｈインピーダンス調整回路１０８、ＶＨＦ−Ｌｃｈインピーダンス調整回路１０９、ＦＭインピーダンス調整回路１１０が並列に接続されている。ＴＶ／ＦＭ制御部１０５は、現在の携帯電話機１００がＦＭ放送およびＴＶ放送を受信している場合に受信している放送波を示す識別信号Ｓ１０１を帯域切替スイッチ１０２，１０６へ出力する。
【００２３】
帯域切替スイッチ１０２，１０６は、受信している放送波に対して設けられたインピーダンス調整回路を選択する。例えば、識別信号Ｓ１０１がＵＨＦを受信していることを示すものである場合にはＵＨＦインピーダンス調整回路１０７を選択し、識別信号Ｓ１０１がＶＨＦ−Ｈｃｈを受信していることを示すものである場合にはＶＨＦ−Ｈｃｈインピーダンス調整回路１０８を選択し、識別信号Ｓ１０１がＶＨＦ−Ｌｃｈを受信していることを示すものである場合にはＶＨＦ−Ｌｃｈインピーダンス調整回路１０９を選択し、識別信号Ｓ１０１がＦＭを受信していることを示すものである場合にはＦＭインピーダンス調整回路１１０を選択する。
【００２４】
ＴＶ／ＦＭ受信部１１１はこれらのインピーダンス調整回路によって調整が行なわれた放送波について復調動作を行う。
【００２５】
複数の無線装置を１つの筐体内にまとめた無線端末装置では、複数のアンテナを設置することもあるが、マルチバンドに対応したアンテナなどで対応することも多い。マルチバンド対応のアンテナは、エレメントの２共振化や、広帯域化などによって、複数の周波数の電波を受信する。小型の無線端末装置に無線通信装置以外に、ＦＭ放送やＴＶ放送を受信できる機能を付加した場合、ＦＭ〜ＶＨＦ〜ＵＨＦ帯域は、約７０〜８００ＭＨｚと周波数が低い上に、帯域が非常に広く、すべての帯域を同時に満足させるアンテナ装置は実現が難しい。
【００２６】
また、マルチバンド対応のアンテナとした場合、同じ整合回路ですべての帯域において、十分なアンテナ特性を得ることが難しい。このような場合、必要な周波数帯域に応じて、アンテナ整合回路を切換える方法がある。
【００２７】
アンテナの整合回路の部分に、切換え回路を設け、周波数帯域によって整合定数を選択する回路を付加すると、アンテナの整合回路を切り換えることができるため、調整が容易であり、必要とする周波数帯域を得やすい。
【００２８】
しかし、携帯電話と受信機を組み合わせたような装置の場合、受信の帯域切り換えのために、アンテナ整合回路として放送波毎に切換えられる整合回路を付加してしまうと、その回路によって、携帯電話のインピーダンスにも影響を与えてしまう可能性がある。また、携帯電話とＦＭ放送、ＴＶ放送を同時に使用する場合、受信する放送によって、携帯電話のアンテナ特性が変わってしまうことが考えられる。
【００２９】
本実施形態においては、アンテナ１００を、携帯電話機無線部１０４と帯域切替スイッチ１０２に分岐接続する無線部切替スイッチ１０３を設け、分岐した後の経路に、ＵＨＦ帯域と、ＶＨＦ−Ｈｃｈ帯域と、ＶＨＦ−Ｌｃｈ帯域と、ＦＭ帯域それぞれの周波数に最適化できるようなインピーダンス調整回路を並列に設け、帯域切替スイッチ１０２，１０６により、いずれかを選択する構成とすることにより携帯電話のアンテナ特性が変わることなく、良好な受信を行なうことができるものとなっている。
【００３０】
次に、本発明の第２の実施形態について、その構成を示す図２を参照して説明する。
【００３１】
本実施形態の携帯電話機２００を構成する、アンテナ２０１、帯域切替スイッチ２０２、携帯電話機無線部２０４、ＴＶ／ＦＭ制御部２０５、帯域切替スイッチ２０６、ＵＨＦインピーダンス調整回路２０７、ＶＨＦ−Ｈｃｈインピーダンス調整回路２０８、ＶＨＦ−Ｌｃｈインピーダンス調整回路２０９、ＦＭインピーダンス調整回路２１０およびＴＶ／ＦＭ受信部２１１のそれぞれは、図１に示したアンテナ１０１、帯域切替スイッチ１０２、携帯電話機無線部１０４、ＴＶ／ＦＭ制御部１０５、帯域切替スイッチ１０６、ＵＨＦインピーダンス調整回路１０７、ＶＨＦ−Ｈｃｈインピーダンス調整回路１０８、ＶＨＦ−Ｌｃｈインピーダンス調整回路１０９、ＦＭインピーダンス調整回路１１０およびＴＶ／ＦＭ受信部１１１と同様のものであるため、説明は省略する。
【００３２】
本実施形態は、第１の実施形態における無線部切換えスイッチ１０３を周波数分配器２０３に置き換えたものである。周波数分配器は２０３は、アンテナ２０１で受信され、携帯電話機無線部２０４で携帯電話機能に用いられる高い周波数、例えば、Ｗ−ＣＤＭＡなどで使用される１．９〜２．１ＧＨｚと、ＴＶ／ＦＭ受信部２１１で使用される７０〜８００ＭＨｚを分離する。
【００３３】
周波数を分離することにより、携帯電話機無線部２０４およびＴＶ／ＦＭ受信部２１１それぞれに対してのアイソレーションを確保し、相互に与える影響を抑えることができる。また、アンテナ２１０で受信したそれぞれの信号を同時に携帯電話機無線部２０４およびＴＶ／ＦＭ受信部２１１へ送ることができるため、携帯電話機と、ＴＶ放送、ＦＭ放送の受信を同時に行うことが可能となる。
【００３４】
本実施形態では、周波数分配器２０３として携帯電話の無線部とＴＶの受信部のアイソレーションを十分確保できる素子を使うことが重要となる。このような素子を使用することにより、受信帯域切り換えによる携帯電話の無線部への影響を削減することができる。
【００３５】
次に、本発明の第３の実施形態について、その構成を示す図３を参照して説明する。
【００３６】
携帯電話機３００は、ＦＭ放送およびＴＶ放送の受信機能を備えるものである。携帯電話機３００には、アンテナ３０１が設けられ、その筐体の内部には、帯域切替スイッ３１０２、無線部切換えスイッチ３０３、携帯電話機無線部３０４、ＴＶ／ＦＭ制御部３０５、ＵＨＦインピーダンス調整回路３０７、ＶＨＦ−Ｈｃｈインピーダンス調整回路３０８、ＶＨＦ−Ｌｃｈインピーダンス調整回路３０９、ＦＭインピーダンス調整回路３１０およびＴＶ／ＦＭ受信部３１１が設けられている。
【００３７】
携帯電話機１００には上記の各構成要素の他に、ＴＶ画像や携帯電話に関する情報を表示する表示装置や、音声を出力するスピーカ、動作を選択するための入力手段、携帯電話機能を実現するための手段などが設けられるが、これらは公知の技術で実現可能な一般的な構成であるために、図示および説明は省略する。本実施形態は、上記の入力手段への入力に応じて、携帯電話、または、ＦＭ放送およびＴＶ放送の受信機として動作する。ＴＶ／ＦＭ制御部３０５は、現在の装置動作を確認可能に構成されており、現在の装置動作に応じた制御動作を行う。
【００３８】
アンテナ３０１は、ＦＭ放送、ＴＶのＶＨＦ帯域、ＵＨＦ帯域の受信および携帯電話機の使用帯域の電波の送受信を行なうためのアンテナである。無線部切換えスイッチ３０３は、アンテナ１０１と接続し、アンテナ３０１の線路を分岐して、一方を携帯電話機無線部３０４に接続し、他方をＴＶ／ＦＭ受信部３１１および帯域切替スイッチ３０２に接続する。携帯電話機無線部３０４は、携帯電話機３００が携帯電話機として機能する際にアンテナ３０１を介して送受信を行なう。
【００３９】
帯域切替スイッチ３０２はＴＶ放送またはＦＭ放送の受信の際、受信波に応じたインピーダンス調整を行なうために設けられたもので、帯域切替スイッチ１０２と接地との間には、ＵＨＦインピーダンス調整回路３０７、ＶＨＦ−Ｈｃｈインピーダンス調整回路３０８、ＶＨＦ−Ｌｃｈインピーダンス調整回路３０９、ＦＭインピーダンス調整回路３１０が並列に接続されている。ＴＶ／ＦＭ制御部３０５は、現在の携帯電話機３００がＦＭ放送およびＴＶ放送を受信している場合に受信している放送波を示す識別信号Ｓ３０１を帯域切替スイッチ１０２へ出力する。
【００４０】
帯域切替スイッチ３０２は、受信している放送波に対して設けられたインピーダンス調整回路を選択する。例えば、識別信号Ｓ３０１がＵＨＦを受信していることを示すものである場合にはＵＨＦインピーダンス調整回路３０７を選択し、識別信号Ｓ３０１がＶＨＦ−Ｈｃｈを受信していることを示すものである場合にはＶＨＦ−Ｈｃｈインピーダンス調整回路３０８を選択し、識別信号Ｓ３０１がＶＨＦ−Ｌｃｈを受信していることを示すものである場合にはＶＨＦ−Ｌｃｈインピーダンス調整回路３０９を選択し、識別信号Ｓ３０１がＦＭを受信していることを示すものである場合にはＦＭインピーダンス調整回路３１０を選択する。
【００４１】
ＴＶ／ＦＭ受信部３１１はこれらのインピーダンス調整回路によって調整が行なわれた放送波について復調動作を行う。
【００４２】
上記のように構成される本実施形態は、第１および第２の実施形態においては２つのスイッチ間に設けられていた複数のインピーダンス調整回路を接地に対して並列に配置したものである。
【００４３】
本実施形態の場合には、無線部切換えスイッチ３０３とＴＶ／ＦＭ受信部３１１の間にインピーダンス調整回路が挿入されないため、インピーダンス調整回路の回路損失による受信電波のロスを最小限とすることができる。
【００４４】
次に、本発明の第４の実施形態について、その構成を示す図４を参照して説明する。
【００４５】
本実施形態の携帯電話機４００を構成する、アンテナ２０１、帯域切替スイッチ４０２、携帯電話機無線部４０４、ＴＶ／ＦＭ制御部４０５、ＵＨＦインピーダンス調整回路４０７、ＶＨＦ−Ｈｃｈインピーダンス調整回路４０８、ＶＨＦ−Ｌｃｈインピーダンス調整回路４０９、ＦＭインピーダンス調整回路４１０およびＴＶ／ＦＭ受信部４１１のそれぞれは、図３に示した携帯電話用アンテナ３０１、帯域切替スイッチ３０２、携帯電話機無線部３０４、ＴＶ／ＦＭ制御部３０５、ＵＨＦインピーダンス調整回路３０７、ＶＨＦ−Ｈｃｈインピーダンス調整回路３０８、ＶＨＦ−Ｌｃｈインピーダンス調整回路３０９、ＦＭインピーダンス調整回路３１０およびＴＶ／ＦＭ受信部３１１と同様のものであるため、説明は省略する。
【００４６】
本実施形態は、第３の実施形態における無線部切換えスイッチ３０３を周波数分配器４０３に置き換えたものである。周波数分配器は４０３は、アンテナ４０１で受信され、携帯電話機無線部４０４で携帯電話機能に用いられる高い周波数、例えば、Ｗ−ＣＤＭＡなどで使用される１．９〜２．１ＧＨｚと、ＴＶ／ＦＭ受信部２１１で使用される７０〜８００ＭＨｚを分離する。
【００４７】
周波数を分離することにより、携帯電話機無線部４０４およびＴＶ／ＦＭ受信部４１１それぞれに対してのアイソレーションを確保し、相互に与える影響を抑えることができる。また、アンテナ４１０で受信したそれぞれの信号を同時に携帯電話機無線部４０４およびＴＶ／ＦＭ受信部４１１へ送ることができるため、携帯電話機と、ＴＶ放送、ＦＭ放送の受信を同時に行うことが可能となる。
【００４８】
本実施形態でも、周波数分配器４０３として携帯電話の無線部とＴＶの受信部のアイソレーションを十分確保できる素子を使うことが重要となる。このような素子を使用することにより、受信帯域切り換えによる携帯電話の無線部への影響を削減することができる。
【図面の簡単な説明】
【００４９】
【図１】本発明の第１の実施形態の要部構成を示すブロック図である。
【図２】本発明の第２の実施形態の要部構成を示すブロック図である。
【図３】本発明の第３の実施形態の要部構成を示すブロック図である。
【図４】本発明の第４の実施形態の要部構成を示すブロック図である。
【符号の説明】
【００５０】
１００，２００，３００，４００    携帯電話機
１０１，２０１，３０１，４０１    アンテナ
１０２，１０６，２０２，２０６，３０２，４０２    帯域切替スイッチ
１０３，３０３    無線部切換えスイッチ
１０４，２０４，３０４，４０４    携帯電話機無線部
１０５，２０５，３０５，４０５    ＴＶ／ＦＭ制御部
１０７，２０７，３０７，４０７    ＵＨＦインピーダンス調整回路
１０８，２０８，３０８，４０８    ＶＨＦ−Ｈｃｈインピーダンス調整回路
１０９，２０９，３０９，４０９    ＶＨＦ−Ｌｃｈインピーダンス調整回路
１１０，２１０，３１０，４１０    ＦＭインピーダンス調整回路
１１１，２１１，３１１，４１１    ＴＶ／ＦＭ受信部
２０３，４０３    周波数分配器
Ｓ１０１，Ｓ２０１，Ｓ２０１，Ｓ４０１    識別信号
【図１】
2005159827.tif 000003
【図２】
2005159827.tif 000004
【図３】
2005159827.tif 000005
【図４】
2005159827.tif 000006